(57)【要約】【課題】構成の簡素化、架設作業の簡易化、防煙用シート部材の一部交換を可能とし、風圧による揺れ等も防止する。【解決手段】天井部にレール状部材10を配設し、その両端部の壁に張設用枠体20を配設して複数枚の防煙用シート部材30を張設して成る防煙垂壁である。レール状部材10は金属製アングル材からなり、両端部に位置する張設用枠体20は壁に固定される基礎枠体21と可動枠体22とからなり、可動枠体22は壁面に対して近付く方向に往復移動可能である。この可動枠体22の側面に防煙用シート部材30の端部を接合する。防煙用シート部材は所定長さの防煙用シート部材30の複数を連結して形成される。この連結部は２枚のテンションバー35により防煙用シート部材30の端部を挟持して固定される。テンションバー35がアングル材の長手方向に沿って移動することにより防煙用シート部材30が張設される。【選択図】図１
2013150765.tif 000002
【特許請求の範囲】
【請求項１】
天井部にレール状部材を配設し、その両端部に位置する柱又は壁面には張設用枠体をそれぞれ配設し、これら両端部の張設用枠体と前記レール状部材に防煙用シート部材を張設して成る防煙垂壁において、
前記レール状部材(10)は鉛直下方に垂下する垂下面(12)を有し、
その両端部又は一方端部に位置する張設用枠体(20)が、柱又は壁に固定される基礎枠体(21)と、この基礎枠体(21)に対して柱又は壁面に対して近付く方向に往復移動可能な可動枠体(22)とから成り、この可動枠体(22)の側面に防煙用シート部材の端部を接合し、
防煙用シート部材は、所定長さの防煙用シート部材(30)の複数のものを連結して形成され、
これら防煙用シート部材(30)同士の連結部には帯板状のテンションバー(35)を２枚配設して、これら２枚のテンションバー(35f, 35r)により防煙用シート部材(30, 30)の端部を挟持して、螺子等の固定手段により隣り合う防煙用シート部材(30, 30)の端部同士を連結し、固定することができ、
一方のテンションバー(35f)の長さを上方に長く形成して、この部分を天井部に配設されたレール状部材(10)の垂下面(12)に螺着して固定することができ、
更に、テンションバー(35f)の上端螺着部の螺子挿通孔(35h)を略水平方向に長い長孔に形成し、又は前記レール状部材(10)の垂下面(12)に設けた螺子挿通孔を略水平方向に長い長孔に形成することにより、テンションバー(35)がそのレール状部材(10)の長手方向に沿って移動することができ、
これにより、端部に設けられた張設用枠体(20)の可動枠体(22)を螺子による締付けにより柱又は壁面方向に移動させることにより防煙用シート部材が天井部に緊張状態に張設されることを特徴とする防煙用垂壁。
【請求項２】
前記防煙用シート部材を張設した後、防煙用シート部材と前記レール状部材(10)との接合部又は境界部に変性シリコン等のシーリング材を充填又は塗布したことを特徴とする請求項１に記載の防煙垂壁。
【請求項３】
防煙用シート部材の下辺側縁部に更に下辺テンションバーを設けたことを特徴とする請求項１又は２に記載の防煙垂壁。
【請求項４】
前記テンションバー(35)又は前記下辺テンションバーの下端に挿通部(40)を設け、この挿通部(40)に樹脂製ファイバーや金属製ワイヤー等の線状材(42)を挿通し、この線条材(42)の両端部を張設用枠体(20)に固定して緊張状態に張設することにより、防煙用垂壁の揺れを防止できるようにしたことを特徴とする請求項１乃至３の何れか１項に記載の防煙垂壁。
【請求項５】
天井部にレール状部材を配設し、その両端部に位置する柱又は壁面には張設用枠体をそれぞれ配設し、これら両端部の張設用枠体と前記レール状部材に防煙用シート部材を張設して成る防煙垂壁の架設方法において、
前記レール状部材として鉛直下方に垂下する垂下面を有するものを使用し、
その両端部又は一方端部に位置する張設用枠体として、柱又は壁に固定される基礎枠体と、この基礎枠体に対して柱又は壁面に対して近付く方向に往復移動可能な可動枠体とから成るものを使用し、この可動枠体の側面には防煙用シート部材の端部を接合し、
防煙用シート部材は、所定長さの防煙用シート部材の複数のものを連結して形成することができ、
これら防煙用シート部材同士の連結部には帯板状のテンションバーを２枚配設して、これら２枚のテンションバーにより防煙用シート部材の端部を挟持して、螺子等の固定手段により隣り合う防煙用シート部材の端部同士を連結し、固定することができ、
一方のテンションバーの長さを上方に長く形成して、この部分を天井部に配設されたレール状部材の垂下面に螺着して固定することができ、
更に、テンションバーの上端螺着部の螺子挿通孔を略水平方向に長い長孔に形成し、又は前記レール状部材の垂下面に設けた螺子挿通孔を略水平方向に長い長孔に形成することにより、テンションバーがそのレール状部材の長手方向に沿って移動することができ、
これにより、端部に設けられた張設用枠体の可動枠体を螺子による締付けにより柱又は壁面方向に移動させることにより防煙用シート部材が天井部に緊張状態に張設され、その後それぞれのテンションバーの上端部をレール状部材の垂下面に螺着固定して架設することを特徴とする防煙用垂壁の架設方法。
【発明の詳細な説明】
【技術分野】
【０００１】
本発明は、建物の天井部に張設される防煙用の垂壁に関するものであり、とりわけ透明又は半透明の合成樹脂製シート状体から成る防煙用シート部材から成る垂壁を柱又は壁面間の天井部に張設し、天井から所定長さ分下方に設営できるものである。
【背景技術】
【０００２】
近年、地震や火災等の災害が多発する中、消防法では防煙垂壁が義務づけられている。
この防煙垂壁としては、従来より板ガラスにより構築されていたが、地震時にはそれ自身の重量のために破損、落下が生じ、人的被害や物損被害が生じている現状である。
そこで、現在では、この板ガラスに代わり、ガラス繊維を含む強化樹脂シートが創案され、このガラス繊維強化樹脂シートを天井部から所定長さ下方に垂れ幕のように張設した防煙垂壁が開発され、普及し始めている。
【０００３】
下記特許文献１に記載の「防煙垂壁及びその施工方法」においては、システム天井としての意匠性を損なうことなく、システム天井の天井面に対して垂直な防煙垂壁を容易に形成することをその課題とするものである。
【０００４】
その構成は、防煙垂壁として可撓性及び透明性を有するガラス繊維強化樹脂シートと、このガラス繊維強化樹脂シートが巻き取られた状態で収納され、このガラス繊維強化樹脂シートを引き出すためのスリットが形成された、天井面に対して垂直に配置された収納ボックスと、天井面に対して垂直に配置され、ガラス繊維強化樹脂シートの先端部を固定するシート先端固定枠体と、吊持部材に吊下げられた天井材を架設し、収納ボックスとシート先端固定枠体との間に延在して収納ボックスから引き出されたガラス繊維強化樹脂シートの上端部が収容される挿入空間が形成されたガイドレールとを備えるものである。
【先行技術文献】
【特許文献】
【０００５】
【特許文献１】特開２０１１−４１６９３号公報
【発明の概要】
【発明が解決しようとする課題】
【０００６】
上記従来の防煙垂壁においては、その防煙用シートとして使用するガラス繊維強化樹脂シートが非常に高価なものであり、これを使用すると従来のカラス板製のものと比較するとその製造コストが数倍或いは１０倍程度となってしまうことを考慮し、その製造コストの低減化を目的とし、その構成の簡素化と、架設作業の簡易化を本発明の第一の課題としている。
【０００７】
次に、従来の防煙用シート部材においては、その適宜長さのものを天井部に所定長さ分壁面又は柱間に張設して設置するのであるが、この防煙用シート部材は何らかの原因により汚れが生じたり、傷が付いたりすることがあるが、その際は、そのシートの全体を交換せねばならない。
【０００８】
そこで、本発明においては、防煙用シート部材の一部に汚れや傷が付いた場合であっても、その部分のシートのみを交換することが出来ることをその第２の課題とする。
更に、上記のように防煙用シート部材の一部を交換可能とするために生じる各種の課題をクリアすることも本発明の課題となる。
【０００９】
勿論、従来からの課題である防煙垂壁に要求されるシートに皺等が寄らないこと、シートからなる防煙垂壁であるが故のデメリット、例えば、エアコン等から受ける送風による揺れ等を防止することもその課題となる。
【課題を解決するための手段】
【００１０】
上記課題を解決するために、本発明の第１のものは、天井部にレール状部材を配設し、その両端部に位置する柱又は壁面には張設用枠体をそれぞれ配設し、これら両端部の張設用枠体と前記レール状部材に防煙用シート部材を張設して成る防煙垂壁において、前記レール状部材は鉛直下方に垂下する垂下面を有し、その両端部又は一方端部に位置する張設用枠体が、柱又は壁に固定される基礎枠体と、この基礎枠体に対して柱又は壁面に対して近付く方向に往復移動可能な可動枠体とから成り、この可動枠体の側面に防煙用シート部材の端部を接合し、防煙用シート部材は、所定長さの防煙用シート部材の複数のものを連結して形成され、これら防煙用シート部材同士の連結部には帯板状のテンションバーを２枚配設して、これら２枚のテンションバーにより防煙用シート部材の端部を挟持して、螺子等の固定手段により隣り合う防煙用シート部材の端部同士を連結し、固定することができ、
一方のテンションバーの長さを上方に長く形成して、この部分を天井部に配設されたレール状部材の垂下面に螺着して固定することができ、更に、テンションバーの上端螺着部の螺子挿通孔を略水平方向に長い長孔に形成し、又は前記レール状部材の垂下面に設けた螺子挿通孔を略水平方向に長い長孔に形成することにより、テンションバーがそのレール状部材の長手方向に沿って移動することができ、これにより、端部に設けられた張設用枠体の可動枠体を螺子による締付けにより柱又は壁面方向に移動させることにより防煙用シート部材が天井部に緊張状態に張設されることを特徴とする防煙用垂壁である。
【００１１】
本発明の第２のものは、上記第１の発明において、前記防煙用シート部材を張設した後、防煙用シート部材と前記レール状部材との接合部又は境界部に変性シリコン等のシーリング材を充填又は塗布したことを特徴とする防煙垂壁である。
【００１２】
本発明の第３のものは、上記第１又は第２の発明において、防煙用シート部材の下辺側縁部に更に下辺テンションバーを設けたことを特徴とする防煙垂壁である。
【００１３】
本発明の第４のものは、上記第１乃至第３の何れかの発明において、前記テンションバー又は前記下辺テンションバーの下端に挿通部を設け、この挿通部に樹脂製ファイバーや金属製ワイヤー等の線状材を挿通し、この線条材の両端部を張設用枠体に固定して緊張状態に張設することにより、防煙用垂壁の揺れを防止できるようにしたことを特徴とする防煙垂壁である。
【００１４】
本発明の第５のものは、天井部にレール状部材を配設し、その両端部に位置する柱又は壁面には張設用枠体をそれぞれ配設し、これら両端部の張設用枠体と前記レール状部材に防煙用シート部材を張設して成る防煙垂壁の架設方法において、前記レール状部材として鉛直下方に垂下する垂下面を有するものを使用し、その両端部又は一方端部に位置する張設用枠体として、柱又は壁に固定される基礎枠体と、この基礎枠体に対して柱又は壁面に対して近付く方向に往復移動可能な可動枠体とから成るものを使用し、この可動枠体の側面には防煙用シート部材の端部を接合し、防煙用シート部材は、所定長さの防煙用シート部材の複数のものを連結して形成することができ、これら防煙用シート部材同士の連結部には帯板状のテンションバーを２枚配設して、これら２枚のテンションバーにより防煙用シート部材の端部を挟持して、螺子等の固定手段により隣り合う防煙用シート部材の端部同士を連結し、固定することができ、一方のテンションバーの長さを上方に長く形成して、この部分を天井部に配設されたレール状部材の垂下面に螺着して固定することができ、更に、テンションバーの上端螺着部の螺子挿通孔を略水平方向に長い長孔に形成し、又は前記レール状部材の垂下面に設けた螺子挿通孔を略水平方向に長い長孔に形成することにより、テンションバーがそのレール状部材の長手方向に沿って移動することができ、これにより、端部に設けられた張設用枠体の可動枠体を螺子による締付けにより柱又は壁面方向に移動させることにより防煙用シート部材が天井部に緊張状態に張設され、その後それぞれのテンションバーの上端部をレール状部材の垂下面に螺着固定して架設することを特徴とする防煙用垂壁の架設方法である。
【発明の効果】
【００１５】
本発明の第１のものにおいては、天井部に配設するレール状部材と、その両端部に配設される張設用枠体とにより防煙用シート部材が張設されるものであって、そのレール状部材は横断面Ｌ字形状のアングル材からなり、他方、両端部に位置する張設用枠体の一方又は両方が、柱又は壁に固定される基礎枠体と、この基礎枠体に対して柱又は壁面に対して近付く方向に往復移動可能な可動枠体とから形成され、極めて簡易な構成から成るものである。
それ故、構成部材も特殊なものでなく、従来のアングル材や例えば管体からなる可動枠体を使用でき、その構成数も少なく、製造コストを抑え、架設作業及び労力も従来よりも低減化することができる。
【００１６】
本発明においては、防煙用シート部材として複数の防煙用シート部材を連結して形成しており、その連結部には、２枚の帯板状のテンションバーを使用して防煙用シート部材の端部同士を挟持し螺着することにより、簡単に連結固定することができる。
従って、この複数枚の防煙用シート部材を使用して、設置場所の長さに容易に適合させることができる。
即ち、現場で寸法を取り、一方の端部に位置する防煙用シート部材を所望の長さに裁断して設置場所の寸法に容易に適合させることができるのである。
【００１７】
本発明においては、複数枚の防煙用シート部材を連結固定するため、その連結固定する部位に帯板状のテンションバーが使用されるために、張設される防煙用シート部材の適宜間隔位置にテンションバーが配置されることとなる。
つまり、本発明においては、防煙用シート部材においてその適宜間隔でテンションバーが配設されているために、防煙用シート部材が所定の短い間隔においてこれらテンションバーにより張設されるため、より皺が寄りにくいという効果も発揮する。
また、これと共に、防煙用シート部材の一部が汚れたり、傷が付いた場合には、その全体を交換するのでなく、その汚れ又は傷が付いて部分の防煙用シート部材のみを交換することができるという非常に大きな効果を本発明は発揮することができるのである。
【００１８】
更に、本発明においては、テンションバーの一方の長さを上方に長く形成して、この部分を天井部に配設されたアングル材の垂下面に螺着して固定しており、且つ、テンションバーの上端螺着部の螺子挿通孔を略水平方向に長い長孔に形成し、又は前記アングル型材の垂下面に設けた螺子挿通穴を略水平方向に長く形成することにより、テンションバーがそのアングル材の長手方向に沿って移動することができるために、端部に設けられた張設用枠体の可動枠体を螺子による締付けにより柱又は壁面方向に移動させることにより何の問題もなくそれぞれの防煙用シート部材がアングル材の垂下面に沿ってアングル材の長手方向に引っ張られ、極めて良好に張設することができることとなるのである。
また、このテンションバーの配設により、防煙用シート部材は適宜間隔でこのテンションバーにより支持されるために、エアコン等の送風気体による揺れ等が生じることが防止されることとなるのである。
【００１９】
尚、上記第１の発明においては、張設用枠体は、アングル材の両端部或いは一方の端部にのみ設けて実施することもできる。
即ち、この張設用枠体は、壁面又は柱面の一方の側にのみ設けることにより実施することもできるが、これを両側に設けることにより、その両側でテンションを調整して防煙用シート部材を張設し、皺が寄らないように架設することができる。
また、張設する距離をより大きくすることも可能となるのである。
【００２０】
本発明の第２のものにおいては、防煙用シート部材を張設した後、防煙用シート部材と前記レール状部材との接合部又は境界部に変性シリコン等のシーリング材を充填又は塗布したことを特徴とするものであり、天井部に配設するレール状部材と防煙用シート部材との機密性を高めるために付加した手段である。
また、このシーリング材は、機密性の他に相互の接着性をも付与できるものである。
【００２１】
本発明の第３のものにおいては、防煙用シート部材の下辺側縁部に更に下辺テンションバーを設けたものであり、これを付加することにより、防煙用シート部材の上下方向のテンションを付加することができ、これにより皺の発生をより防止することができる。
【００２２】
本発明の第４のものにおいては、前記テンションバー又は前記下辺テンションバーの下端に挿通部を設け、この挿通部に樹脂製ファイバーや金属製ワイヤー等の線状材を挿通し、その両端部を張設用枠体に固定して緊張状態に張設することにより、防煙用垂壁の揺れを防止できるようにしたものである。
この挿通部としては、上方が開口した断面略コ字形状の金属製型材を前記テンションバーの下端に螺着して形成することもできるし、或いは、このテンションバー又は前記下辺テンションバーの下端部に円環状又は環状の金具を複数列設して、この金具の穴部に線条材を挿通することによっても形成できる。
また、挿通部として上記断面略コ字形状の型材を使用した際には、複数のテンションバーの下端部同士を連結するように架設できるため、同時に防煙用シート部材の下辺側縁部をもその内部に配設できるものとなり、防煙用シート部材の下辺側縁部を保護する機能をも発揮できるものとなる。
【００２３】
本発明の第５のものにおいては、上記第１の発明に係る防煙垂壁の構成を利用して、これを架設方法としたものである。
その効果は、前記第１の発明と同じ効果を発揮し、その架設方法を従来よりも格段に簡易及び容易と成し、その架設作業の労力を軽減させることができるものである。
【図面の簡単な説明】
【００２４】
【図１】本発明の防煙垂壁に係る一実施形態を天井部に設置した状態の正面図である。
【図２】上記実施形態に係る張設用枠体を示す横断面説明図である。
【図３】上記実施形態に係る張設用枠体を示す縦断面説明図である。
【図４】本発明に係る防煙用シート部材の両端部を連結し固定するテンションバーを図示しており、その（Ａ）が表面側を、その（Ｂ）が断面を、その（Ｃ）が裏面側を示している。
【図５】本発明に係る他の実施形態に係るコーナーポール部材を図示しており、その（Ａ）が縦断面図、その（Ｂ）が防煙用シート部材を張設した状態の横断面図である。
【図６】本発明の他の実施形態を示すものであって、テンションバー及び防煙用シート部材の下端部に配設される線条材を図示し、その（Ａ）が正面説明図、その（Ｂ）が縦断面説明図である。
【発明を実施するための形態】
【００２５】
以下、添付の図面と共に本発明の実施形態について説明する。
図１は、本発明の防煙垂壁に係る一実施形態を天井部に設置した状態の正面図である。  
本発明に係る防煙垂壁は、天井部Ｃに配設されるレール状部材１０と、その両端部の壁面Ｗの鉛直方向に配設される張設用枠体２０と、これらの張設用枠体２０、２０の間に配設される複数の防煙用シート部材３０、３０、…とから成る。
防煙用シート部材は、これら防煙用シート部材３０の複数枚を連結して形成され、その連結部材となるのがテンションバー３５である。
【００２６】
天井部Ｃに配設されるレール状部材１０としてこの実施形態ではアルミニウム製のアングル材を使用している。
テンションバー３５も同様にアルミ製の帯板を２枚使用し、これら２枚のテンションバー３５によって防煙用シート部材３０を挟み込んで螺着し固定している。
防煙用シート部材３０としては、現在流通している透明のガラス繊維強化樹脂シートを利用することができる。
【００２７】
天井部のレール状部材１０は、複数本のアルミ製アングル材を順次一列に整列させて固定することができるが、その配設する距離に応じて１本のものを設置することもできる。
後に説明するが、重ね合わされた２枚のテンションバー３５の内、一方のテンションバー３５の上端部を長く形成してその上端部をこのアングル材から成るレール状部材１０の垂下面に螺着して固定することができるが、防煙用シート部材を左右に引っ張って張設するに際して、このテンションバー３５は、レール状部材１０の長手方向に移動できるように構成している。
これにより、後に説明するが、両端部に設置された張設用枠体２０に設けられている可動枠体により防煙用シート部材が左右に引っ張られ、ピンと張った状態に張設されるのである。
【００２８】
図２は、上記実施形態に係る張設用枠体を示す横断面説明図である。
図３は、同じく上記実施形態に係る張設用枠体を示す縦断面説明図である。
以下これらの２図に基づき張設用枠体について説明する。
【００２９】
本発明に係る張設用枠体２０は、壁下地材又は柱部材Ｐが設けられた部位の壁面Ｗにその鉛直方向に配設され、固定螺子により固定される。
張設用枠体２０の基本的構成部材は、長尺状の横断面略コ字形状の基礎枠体２１と、この基礎枠体２１の開口部からその内部に挿入されるアルミ製角型管体から成る可動枠体２２とから構成されている。
【００３０】
基礎枠体２１は、適数箇所で螺子２３により壁面部に固定される。
また、基礎枠体２１の内面には、その開口部側に向かって植設された複数の張設用螺子棒２４が適数個設けられており、この張設用螺子棒２４が可動枠体２２である角型管体を貫通し、その先端部にナット等の張設用螺子２５が螺着されている。
従って、この張設用螺子２５を締付けると、可動枠体２２が壁面方向に移動し、他方、これを緩めることによって可動枠体２２は、壁面から遠ざかる方向に移動する。
【００３１】
この可動枠体２２の一側面に防煙用シート部材３０が接合され、接着される。具体的には両面接着テープを利用して可動枠体２２の一側面に接着する。
勿論、この防煙用シート部材３０の可動枠体２２への接合に際して、金属製プレートで更に押え且つ螺着して固定することも当然可能である。
【００３２】
従って、上記張設用螺子２５を締付けることにより可動枠体２２が壁面方向に移動して、防煙用シート部材３０が左右方向に引っ張られ、ピンと張った状態に張設される。
具体的な張設方法については、後に説明する。
上記の基本的な構成部材に付加して、本発明においては、更に以下の部材を付加している。
【００３３】
基礎枠体２１の両側の側面部には、美観を維持するための化粧カバー２６を螺着している。この化粧カバー２６は、基礎枠体２１と同じアルミ製の帯板である。
この化粧カバー２６、２６により、張設用枠体２０の内部構造を隠すことができ、その外観をスマートなものとすることができる。
更に、防煙用シート部材の張設完了後に、この一方の化粧カバー２６と可動枠体２２との間に、変性シリコンをシーリング部材２７として充填する。火災時に防煙用シート部材３０の一方の側から他方の側に煙が漏れないようにするためである。
【００３４】
図４は、本発明に係る防煙用シート部材の両端部を連結し固定するテンションバーを図示しており、その（Ａ）が表面側を、その（Ｂ）が断面を、その（Ｃ）が裏面側を示している。
本発明に係るテンションバー３５は、表面側の表面側テンションバー３５ｆと、裏面側テンションバー３５ｒの２枚から成る。
【００３５】
これら表面側及び裏面側テンションバー３５ｆ、３５ｒは、何れもアルミ製の帯板から成るものである。
天井部Ｃには、レール状部材１０を構成するアルミ製のアングル材が配設され、このアングル材の垂下面１２に表面側テンションバー３５ｆの上端部が螺子３６により螺着される。
ここで、螺子３６が挿通する螺子挿通孔３５ｈが表面側テンションバー３５ｆの上端部に形成されているが、この螺子挿通孔３５ｈが横方向（略水平方向）に長い長孔に形成されている。
【００３６】
このように螺子挿通孔３５ｈが略水平方向に長く形成されていることにより、テンションバー３５が左右方向に移動可能となるのである。
表面側テンションバー３５ｆと、この表面側テンションバー３５ｆよりもアングル材の垂下面１２の垂下距離分だけ長さの短い裏面側テンションバー３５ｒを相互に重ね合わせて、両側の防煙用シート部材３０、３０の端部を挟持して螺子により螺着され固定する。
【００３７】
この実施形態では、テンションバー３５の上端と下端部分の２箇所で螺着されているが、必要に応じて、その中央部も含めて３箇所以上で螺着するのも自由である。
本実施形態では、防煙用シート部材３０の横方向長さを略２０００ｍｍに設定し、その垂下距離を５００ｍｍ乃至８００ｍｍ程度に設定している。
しかし、この防煙用シート部材の縦横のサイズは、設置場所に応じて適宜変更することができる。勿論、この防煙用シート部材のサイズに合わせて、レール状部材及び張設用枠体のサイズも決定することができる。
【００３８】
図５は、本発明に係る他の実施形態に係るコーナーポール部材を図示しており、その（Ａ）が縦断面図、その（Ｂ）が防煙用シート部材を張設した状態の横断面図である。
このコーナーポール部材４０は、アルミ製の角型管体から成り、天井部Ｃの適宜位置に複数の断面Ｌ字形状の固定枠体４１により固定され、天井部Ｃから鉛直下方に垂下するように固定される。
【００３９】
このコーナーポール部材４０のそれぞれの側面部に張設用アングル材４２を螺着し、この張設用アングル材４２に同じくアルミ製の押えバー４３を接合して防煙用シート部材３０の端部を挟持し、螺着固定して防煙用シート部材３０の端部を張設することができるものである。
【００４０】
このコーナーポール部材４０を天井部Ｃの適宜位置に設けることにより、例えば、壁面部又は柱部とこのコーナーポール部材４０との間に防煙用シート部材３０を張設することが可能となるのである。
勿論、この防煙用シート部材３０としては、上記した通りの形態のものを利用することができる。
即ち、複数の防煙用シート部材３０をテンションバーによって連結して構成した防煙用シート部材を利用することができる。
【００４１】
尚、このコーナーポール部材４０は、その一側面にのみ防煙用シート部材を張設する場合には、そのテンションの力の掛かり具合から望ましくなく、図示したとおり、４つの側面部にそれぞれ防煙用シート部材を連結して張設することにより、その張力のバランスが取れるものと成るために、天井部の適宜位置に垂下されたコーナー部として利用することが望ましいものとなる。
【００４２】
図６は、本発明の他の実施形態を示すものであって、テンションバー及び防煙用シート部材の下端部に配設される線条材を図示したものであり、その（Ａ）が正面説明図、その（Ｂ）が縦断面説明図である。
この実施形態においては、複数の表面側及び裏面側のテンションバー３５ｆ、３５ｒの下端部横方向に下辺側枠部材４０が架設されており、この下辺側枠部材４０の内部に樹脂製ファイバーや金属製ワイヤー等の線条材４２が配設されたものである。
この下辺側枠部材４０が線条材４２の挿通部となる。
【００４３】
更に詳説すると、挿通部である下辺側枠部材４０は、横断面略コ字形状を有する金属製型材から成り、その上方開口部内に、防煙用シート部材３０が挟持された表面側及び裏面側テンションバー３５ｆ、３５ｒの下端部を嵌入し、螺子により螺着したものである。
従って、防煙用シート部材３０の下辺側縁部もこの下辺側枠部材４０内部に配置され、その下辺側縁部を保護することもできることとなる。
【００４４】
そして、この下辺側枠部材４０の内部には、樹脂製ファイバーや金属製ワイヤー等の線条材４２を挿通して配設し、この線条材４２の両端部は、図示はしていないが、両端の張設用枠体に緊張状態に張設して、固定するのである。
これにより、本発明に係る防煙垂壁は、エアコンの風圧等に対抗して、その揺れを防止することができるのである。
【００４５】
尚、この実施形態では、実験により約５ｍの風速に耐えることができたものである。
また、この線条材を挿通する挿通部としての下辺側枠部材４０は、１本の長尺状の金属製型材を使用したが、これを複数本連結して配設することも可能である。
また、線条材の中間部にターンバックルを設け、これを回転することにより線条材の緊張度合（強度）を調節できるように構成することも可能である。
【００４６】
更には、線条材を挿通するための挿通部としては、上記下辺側枠部材ばかりでなく、テンションバーの下端に円環状又は環状の金具を取り付け、この金具の穴部に線条材を挿通して揺れ止め又は振れ止めとすることも当然可能である。
しかし、デザイン上の観点からは、線条材が外部から目視できない上記下辺側枠部材を挿通部として使用することが望ましい。
尚、上記挿通部としての円環状又は環状金具は、防煙用シート部材を挟持する縦方向のテンションバーばかりでなく、防煙用シート部材の下辺側縁部に設けた上記下辺テンションバーの下端部に複数列設し、これら環状金具の穴部に線条材を挿通して実施することも当然可能である。
【００４７】
次に本発明に係る防煙垂壁の架設方法について説明する。
先ず、天井部にレール状部材としてのアングル材を固定する。また、このアングル材の両端部に張設用枠体を壁面や柱面に固定する。
これらアングル材及び張設用枠体を何れを先に設置し固定するかは任意である。
【００４８】
次に防煙用シート部材を設置する場所の採寸を行い、この長さに合せて防煙用シート部材の複数をテンションバーによって連結固定する。
２枚のテンションバーによって挟持し、螺着するに際して、両面接着テープを利用して、表面側テンションバーの裏面に隣接する防煙用シート部材の端部を接着し、その後裏面側テンションバーを接合して螺着する。
【００４９】
この際に設置する場所のサイズに合せて、一方端部の防煙用シート部材の長さをそれに適合させて裁断する。
連結された防煙用シート部材の両端部には、張設用枠体の可動枠体である角型管体の一側面にやはり両面テープを利用して接着する。
この作業は、床上で行い、所定長さの防煙用シート部材が完成するのである。
【００５０】
その後、この連結された防煙用シート部材の一方端部の可動枠体を一方端部の基礎枠体に螺着し、順次テンションバーの上端部をレール状部材であるアングル材の垂下面に仮止め螺着してゆく。
この状態でテンションバーは左右に、即ち、レール状部材の長手方向に摺動する状態である。
【００５１】
この状態で、他方の可動枠体を基礎枠体に螺着して一応の取り付けが完了する。
その後に、防煙用シート部材をピンと緊張状態に張るべく、両端部の可動枠体の螺着の締め付けを更に行い、防煙用シート部材を完全に緊張した状態に張設するのである。
最後に、テンションバーの上端部の螺着を完全に行い、防煙用シート部材の張設が完了する。
【００５２】
次に、両端部の張設用枠体の両側に化粧カバーを螺着する
その後は、防煙用シート部材の上縁部でアングル材と接合した箇所に変性シリコン等のシーリング材を充填又は塗布し、同様に、張設用枠体の可動枠体と化粧カバーとの間に適宜変性シリコン等のシーリング部材を充填して、架設が完了するのである。
【００５３】
以上、本発明の一実施形態について説明したが、本発明においては以下の通りその形態を種々設計変更することができる。
防煙用シート部材のサイズは、予め規定のサイズに形成して、この複数枚を利用して現場でテンションバーによって連結して、所定長さに設定することができるが、そのサイズ及び材質は適宜自由に設定し、選択することができる。
尚、部屋に設置した際の閉塞感を防止するために、防煙用シート部材は透明又は半透明の素材を利用することが極めて望ましい。
【００５４】
レール状部材として上記実施形態ではアルミ製のアングル材を使用したが、これがスチール製であってもよく、またアングル材以外の型材であってもよい。
要は、垂下面を有するものであれば、どのようなものであってもよいのである。
また、レール状部材をこれを１本のみ配設してもよいし、その複数のものを連続的に配設するのも自由である。設置現場に相応しく、適合させればよいのである。
【００５５】
両端部に設置する張設用枠体も、上記実施形態においては、断面コ字形状の長尺状の基礎枠体と、角型管体から成る可動枠体から構成したが、可動枠体と、これを壁面方向又はその反対方向に移動可能に取り付けることのできる基礎枠体とから構成されていればよく、その構成部材のそれぞれの形態は自由である。
その他の付加部材も同様に自由に設定し付加することが出来る。
【００５６】
テンションバーも適宜幅を有するフラットバーを２枚接合し、一方の端部を上方に長く形成して、これらの間に防煙用シート部材を挟持して固定できるように構成し、一方の長さの長い表面側フラットバーの上端部をレール状部材の垂下面に螺着する構造を採用し、この上端部の螺着部の螺子挿通孔として、横方向に長い長孔に形成してテンションバーが左右方向に移動可能に設定したが、この横方向に長い長孔は、レール状部材の垂下面の側に設けてもよく、或いは、この垂下面及びテンションバーの側の両方に設けて実施することもできる。
【００５７】
勿論、施工の便宜を考慮すれば、テンションバーの側の螺子挿通孔を長孔に形成し、連結された防煙用シート部材を張設した後に、この長孔部分にドリルにより下穴を開けて螺着するか、ドリルビスにより直接螺着する方法を採用するのが便利である。
【００５８】
最後に、本発明に係る防煙垂壁において、その連結された防煙用シート部材の下辺側縁部に更に横方向に下辺テンションバーを付加することもできる。
この場合、下辺テンションバーも、上記テンションバーと同様に２枚のアルミ製帯板を重ね合わせて、防煙用シート部材の下辺側縁部を挟持して固定できるような構成を採用することができる。
【００５９】
この下辺テンションバーは、その両端部を上記縦方向のテンションバー（防煙用シート部材同士を連結するもの）の下端部に螺着固定できるものであってもよい。
これにより、防煙用シート部材に対し下向きのテンションをも付加させることができ、防煙用シート部材に対して横方向のテンションと縦方向のテンションを付加し、より緊張した状態に張設することができることとなるのである。
【００６０】
最後に、本発明においては、その防煙垂壁の下端部に線条材を挿通する挿通部を設け、この挿通部に線条材を挿通し、この線条材の両端部は張設用枠体に固定して、線条材を緊張状態に張設して防煙垂壁の揺れ及び振れを防止できる。
この挿通部としては、上記実施形態のような下辺側枠部材や円環状又は環状金具等の線条材が挿通できる部材を使用することができ、線条材も合成樹脂製ファイバーや金属製ワイヤー等の各種線条材を利用することができる。
尚、挿通部は、防煙垂壁の厳密な意味での下端（壁の下側）ばかりでなく、その下端部の表面側又は裏面側、つまり防煙垂壁の下端の側面部に設けることも自由である。
また、挿通部となる環状金具以外のものとしては、下辺側枠部材の表面側及び裏面側の側面を下方に延長して平行する２枚の延長部を形成し、その内部に線条材を挿通して実施することも可能である。
【００６１】
以上、本発明は、極めて簡易な構成を採用し、とりわけ、防煙用シート部材を分割し、複数の防煙用シート部材を連結して張設することができ、これにより、防煙用シート部材の一部が汚れたり、傷付いた場合には、その部分を交換でき、更には、その連結部のテンションバーの存在により、テンションの付加がより強く且つ容易となり、極めて高いレベルで緊張した状態に防煙用シート部材を張設することができ、また下端部の線条材の付加による揺れの防止にも寄与する防煙垂壁及びその架設方法を提供することができたものである。
【符号の説明】
【００６２】
１０  レール状部材
１２  垂下面
２０  張設用枠体
２１  基礎枠体
２２  可動枠体
２４  張設用螺子棒
２５  張設用螺子
２６  化粧カバー
３０  防煙用シート部材
３５  テンションバー
３５ｆ  表面側テンションバー
３５ｒ  裏面側テンションバー
３５ｈ  螺子挿通孔
４０  下辺側枠部材（挿通部）
４２  線条材
Ｃ  天井部
Ｗ  壁面
【図１】
2013150765.tif 000003
【図２】
2013150765.tif 000004
【図３】
2013150765.tif 000005
【図４】
2013150765.tif 000006
【図５】
2013150765.tif 000007
【図６】
2013150765.tif 000008